(57)【要約】      （修正有）【課題】扇風機を載せ、リモコン操作で首振り動作を行わせるリモコン操作式首振り台座を提供する。【解決手段】扇風機３２を載せる事が出来る台座１１であって、その台座１１の上面の可動部回転面１５に扇風機３２を載置し、その可動部回転面１５をリモコン操作によって、左右に反復回転動作を行わせる事により、載せた扇風機３２全体を左右に反復回転させて、疑似的に首振り様の動作を行わせる。【選択図】図３
0003209215.tif 000002
【実用新案登録請求の範囲】
【請求項１】
扇風機を載せる事が出来る台座であって、その台座の上面の可動部回転面に扇風機を載置し、その可動部回転面をリモコン操作によって、左右に反復回転動作を行わせる事により、載せた扇風機全体を左右に反復回転させて、疑似的に首振り様の動作を行わせる台座。
【請求項２】
台座の上面の可動部回転面にサーキュレーターを載置出来る、請求項1に記載の台座
【考案の詳細な説明】
【技術分野】
【０００１】
本考案は、扇風機を載せ、リモコン操作で首振り様の動作を行わせる台座に関する。
【背景技術】
【０００２】
従来の扇風機においては、扇風機自体の電源の入切や、風量の調整等をリモコン操作で行う機種が一般的である。
【０００３】
また、扇風機の首振り動作では、扇風機本体内の送風機構自体を手動操作の入切にて、機械的に首振り動作をさせる構成が一般的である。
【０００４】
一方、一部の高級機種では、首振り動作の入切までもリモコン操作で行う物もあるが、一般家庭への普及型扇風機では、本体の電源の入切や、風量調整はリモコン操作で行い、首振り動作の入切は手動で行う機種が一般的である。
【０００５】
本考案の、「 扇風機用のリモコン操作式首振り台座 」は、この様な首振り動作の入切りを手動で行う普及型の扇風機に、リモコン操作で入切りする首振り機能を追加する。
【考案の概要】
【考案が解決しようとする課題】
【０００６】
現に市販されている扇風機や、既に一般家庭で使用されている扇風機において、電源の入切り、風量調整などは扇風機本体の操作スイッチやリモコン操作で行うが、首振り動作の入切りは手動で行う機種で、扇風機の使用中に風向を変えたい時は、立ち上がって扇風機の傍まで行く必要が有り、これが意外と面倒に感じる、という課題が有る。
【課題を解決するための手段】
【０００７】
本考案の「扇風機用のリモコン操作式首振り台座」は、円盤型や箱型様の台座本体上面部に、左右に回転反復動作を行う円盤状の可動部回転面（ ターンテーブル ）を有し、リモコン操作によって、この可動部回転面（ ターンテーブル ）における左右への回転動作の起動、停止、反転、及び 回転角度調整を行わせる構成を有する。
【０００８】
扇風機本体の電源の入切り、風量調整などは扇風機本体の操作スイッチやリモコン操作で行うが、首振り動作の入切りは手動操作で行う機種の扇風機において、同扇風機を本考案の、「扇風機用のリモコン操作式首振り台座」の可動部回転面（ ターンテーブル ）上に載置するだけで、リモコンの入切り操作で、同台座の可動部回転面（ ターンテーブル ）が行う左右への回転反復動作によって、結果として、首振り動作の入切りは手動で行う機種の扇風機を、扇風機自体にはまったく手を加える事無く、リモコン操作の入切りで、扇風機に疑似的に首振り動作を行わせる事で課題を解決する。
【図面の簡単な説明】
【０００９】
【図１】本考案 台座の、全体の外観、概略を示す斜視図である。
【図２】本考案 台座の、三面図で、正面図（A）、上面図（B）、側面図（C）と、底面図（D）を示す。
【図３】本考案 台座の、本体中央部の断面図（A）とその断面位置図（C）、及び 扇風機を載置した状態図（B）を示す。
【図４】本考案 台座の、可動部回転面（ ターンテーブル ）の動作を司る電源、及び 制御の系統図を示す。
【図５】本考案 台座の、前円部の可動部回転面（ ターンテーブル ） 及び 後方部の内部の部品配置を示す。
【図６】本考案 台座使用時の、安定化対策図を示す。
【図７】本考案 台座の、電源系、制御系の電気回路図を示す。
【図８】本考案 台座の、可動部回転面（ ターンテーブル ）の回転角度図を示す。
【考案を実施するための形態】
【００１０】
以下に、本考案の「 扇風機用のリモコン操作式首振り台座 」に付いて、その実施形態の例を説明する。
【００１１】
本考案の「 扇風機用のリモコン操作式首振り台座 」において、台座の本体は、前円後方（ 前円：前部分が円形、後方：後部分が角形 ）状の外形を有し、図1にその外観斜視図を示す。
【００１２】
図1に記載の、台座本体11は その上面に、通常一般に使われているタイプの扇風機を載置出来、左右に反復回転する可動部回転面（ ターンテーブル ）15を内部に収容した、円盤状の前円部13と、電源部、制御部、駆動部、電動機等の部材を収容する後方部12とで構成する。
【００１３】
また、前円部13の正面中央には、リモコン信号の受信部14を設けている。
【００１４】
本考案の「 扇風機用のリモコン操作式首振り台座 」の外観、形状は、ここで説明した以外に、扇風機を載置して回転する可動部回転面（ターンテーブル ）や電源部、制御部、駆動部、電動機等を収容出来、且つ 安定した設置が出来る形状で有れば、円盤型、箱形等、またはその組み合わせ等、どの様な形状でも良い。
【００１５】
図1に記載している、台座本体11の外形に付いて、図2に三面図として（A）正面図、（B）上面図、（C）側面図、及び （D）の底面図を示す。  
【００１６】
台座本体11の前円部13に収容の可動部回転面（ターンテーブル ）15がスムースな回転動作を得られる様に、台座本体11 前円部の可動部回転面（ターンテーブル ）15の収容部 壁面と、可動部回転面（ターンテーブル ）15との間隙に、ガイドローラー22を4個設けており、これを図2の上面図（B）に示す。
【００１７】
また、台座本体11を屋内の床等に置いた時、その滑り止めなど、設置の安定性を確保させるために、台座本体11の底面にゴム足23を5個取り付けする。  これを、図2の正面図（A）、側面図（C）、底面図（D）に示す。
【００１８】
台座本体11の、前面中央にリモコンからの信号を受信するための、リモコン受診部14を設けている。  これを図2の正面図（A）に示す。
【００１９】
台座本体11の前円部に収容される、可動部回転面（ ターンテーブル ）15は、本体収容部底面に接する下部に車輪31を4個設ける事で、可動部回転面上に扇風機が載置され、荷重がかかった状態でもスムースに回転出来る構成としている。
車輪31に付いては、安定性、耐久性を考慮してボールベアリング状のものを採用してもよい。 この状態を、図3（A）の断面図に示す。
この、図3（A）の断面図の断面位置を、図3（C）上面図の、a1、a2間で示す。
【００２０】
実際に、台座本体11の可動部回転面（ ターンテーブル ）15上に、扇風機31を載置した使用の状態を、図3（B）に示す。
【００２１】
可動部回転面（ ターンテーブル ）15を、回転動作させる 電源系、制御系を図4に示す。
電源部41は、図中45の商用電源AC100Vを取り込んで、内部分岐から扇風機電源用のサービスアウトレット46へAC100Vを送出する一方、内部で降圧、整流を行い、直流の2電源を得る。 すなわち、図中47の駆動系用 高圧直流電源DC24Vと、図中48の制御回路用 低圧直流電源DC3.5Vである。
【００２２】
制御部42は、電源部より制御電源48を得て、且つ 台座本体11内の可動部回転面（ ターンテーブル ）15の、ターンテーブル位置情報4B、及び リモコン信号送信機4Dから受けた制御情報を、リモコン信号受信機4Cから受取って、制御指令49を駆動部43に送出する。 また図中4Eの状態表示LEDに、現状の状態表示情報を送出する。
【００２３】
駆動部43は、制御部42より制御指令49を受けて、電動機44へ駆動電圧4Aを送出する。
電動機44は、駆動部43よりの駆動電圧4Aを受けて、可動部回転面（ ターンテーブル ）15に 左回転、右回転の回転動作を行わせる。
【００２４】
台座本体11に収容する主な部材は、可動部回転面（ ターンテーブル ）、電源部、制御部、駆動部、電動機であるが、各部材の想定重量から、収容後のバランスを考慮した配置を、図5に示す。
すなわち、可動部回転面（ ターンテーブル ）15は、台座本体11の前円部に配置し、電源部41を台座本体11の後部右側に、制御部42を台座本体11の後部左側に、駆動部43を台座本体11の後部右側中央に、電動機を台座本体11の後部中央に配している。
【００２５】
本考案の「 扇風機用のリモコン操作式首振り台座 」においては、台座上に配した可動部回転面に、扇風機を載置して回転動作を行わせる事から、極力転倒等の防止策を考慮する必要があり、図6（A）に示す様に、可動部回転面（ ターンテーブル ）15の高さを、台座本体の上縁部より、図中61の 安全長 分下げる構造としている。
これによって、図6（B）の様な安定的な状態が得られ易く、図6（C）の様な不安定な状態を避け易い構成としている。
【００２６】
本考案の「 扇風機用のリモコン操作式首振り台座 」における制御系では、制御中枢にシングチップマイコンを採用する事と、リモコンからの多重信号入力、及び 可動部回転面（ ターンテーブル ）からの位置情報を得る事、さらに 必要なソフトウエアー構成を準備する事で、可動部回転面（ ターンテーブル ）の多彩な位置制御が可能となる。
【００２７】
図7に、制御部42の回路例を示す。
すなわち、制御部42の制御用シングルチップマイコンに対し、可動回転面（ ターンテーブル ）の位置情報として、HP、LL1、LL2、LL3、LRL、RL1、RL2、RL3を入力する。  本回路例では、シングチップマイコンの入力が、アクティブ ハイであるため、入力信号線は各線を8本の抵抗RでGND側へプルダウンしておき、一方をシングチップマイコンの入力側と、位置情報のリミット検出デバイス、HP 〜 RL3を通してVccへ接続している。
【００２８】
図7記載の制御部42のリモコンは、4チャンネルの送受信可能とし、信号名 RMの多重信号として、シングチップマイコンへの入力とする。
リモコン信号 RMも、可動部回転面（ ターンテーブル ）の位置情報信号同様に入力信号線をRでGND側へプルダウンしておき、一方をシングチップマイコンへの入力と、リモコン受診デバイスを通してVccへ接続している。
【００２９】
図7記載の制御部42の表示用LEDは、アノード側をシングチップマイコンの出力に接続し、カソード側を抵抗Rを通してVccへプルアップする。
表示用LEDは、高輝度の赤色を使用して、動作状態の表示を行うもので、点灯、高速点滅、低速点滅、消灯で4状態の状態表示を行う。
4状態は、それぞれ 点灯＝電源入状態、高速点滅＝異常停止状態、低速点滅＝通常の動作時、消灯＝電源切状態とする。
【００３０】
図7記載の駆動部43のDCモータードライバ用IGBTは、電源部より直流高圧電源VHを受電し、制御部のシングチップマイコンとの間にCT、N1、N2の3線を接続して、シングルチップマイコンより左回転起動指令、右回転起動指令、停止指令を受け取って、電動機44の左回転、右回転、及び 停止の制御を行う。
【００３１】
台座本体11の可動部回転面（ ターンテーブル ）15で、扇風機を載置した時の疑似的な首振り動作では、図8に回転角度図を示している。
可動部回転面（ ターンテーブル ）15に内蔵の角度検知ディスク80の位置検知アクチュエータ81が、HP（ ホームポジション ）の初期停止位置（ 0°/360° ）82から、可動部回転面（ ターンテーブル ）15の回転動作に伴って移動し、45°位置（ LL1がON ）83、90°位置（ LL2がON ）84、135°位置（ LL3がON ）85、180°位置（ LRLがON ）86、225°位置（ RL3がON ）87、270°位置（ RL2がON ）88、315°位置（ RL1がON ）89、の各位置を検出し、位置情報としてシングルチップマイコンへ送出する。
【００３２】
台座本体11の可動部回転面（ ターンテーブル ）15に、扇風機を載置した時の疑似的な首振り動作の動作例として、
1. HP（ ホームポジション ）の82を起点として45°位置83と、315°位置89間を往復反復動作させる。
2. HP（ ホームポジション ）の82を起点として、135°位置85と、270°位置88間で往復反復動作させる。
3. HP（ ホームポジション ）の82を起点として、360°左回転後360°右回転の往復反復動作をさせる。
等の多彩な動作が可能となる。
【符号の説明】
【００３３】
11   本体
12   本体後方部
13   本体前円部
14   リモコン受信部
15   可動部回転面（ ターンテーブル ）
22   ガイドローラー
23   ゴム足
31   可動部回転面（ ターンテーブル ）車輪
32   扇風機   
41   電源部
42   制御部
43   駆動部
44   電動機
45   商用電源 AC100V
46   サービス アウトレット
47   高圧直流電源（ 24V ）
48   低圧直流電源（ 3.5V ）
49   駆動部制御線
4A   電動機制御線
4B   可動部（ ターンテーブル ）テーブル位置情報線
4C   リモコン受信部
4D   リモコン送信機
4E   インジケータLED
61   安全長
80   角度検知ディスク
81   位置検知アクチュエータ
82   HP（ ホームポジション ）の初期停止位置（ 0°/360° ）
83   リミット位置検出デバイス RL1（ 45°位置 ）
84   リミット位置検出デバイス RL2（ 90°位置 ）
85   リミット位置検出デバイス RL3（ 135°位置 ）
86   リミット位置検出デバイス LRL（ 180°位置 ）
87   リミット位置検出デバイス LL 3（ 225°位置 ）
88   リミット位置検出デバイス LL 2（ 270°位置 ）
89   リミット位置検出デバイス LL3（ 315°位置 ）
【図１】
0003209215.tif 000003
【図２】
0003209215.tif 000004
【図３】
0003209215.tif 000005
【図４】
0003209215.tif 000006
【図５】
0003209215.tif 000007
【図６】
0003209215.tif 000008
【図７】
0003209215.tif 000009
【図８】
0003209215.tif 000010